(57)【要約】      （修正有）【課題】飛沫感染防止に適すると共に取り扱いが容易な卓上パーテーションを提供する。【解決手段】卓上パーテーション１は、透明な板材で矩形平板形状に形成された衝立パネル１０を卓の天板２上に前後方向に沿って起立させるものであり、衝立パネルの手前側が第１溝３２に差し込まれて衝立パネルを天板上に起立保持する第１スタンド３０と、衝立パネルの先側下辺が第２溝５２に差し込まれて衝立パネルを天板上に起立保持する第２スタンド５０と、を有し、第１スタンドは、第１溝を備えるスタンド本体３１と、スタンド本体と一体的に設けられ、締付操作部４３の締付操作により天板の手前側端部に取り外し可能に挟持固定されるクランプ部４０と、を有する。【選択図】図１
0003229988.tif 000002
【実用新案登録請求の範囲】
【請求項１】
透明な板材で矩形平板形状に形成された衝立パネルを卓の天板上に前後方向に沿って起立させて仕切る卓上パーテーションであって、
前記衝立パネルの手前側が第１溝に差し込まれて該衝立パネルを前記天板上に起立保持する第１スタンドと、
前記衝立パネルの先側下辺が第２溝に差し込まれて該衝立パネルを前記天板上に起立保持する第２スタンドと、を有し、
前記第１スタンドは、前記第１溝を備えるスタンド本体と、前記スタンド本体と一体的に設けられ、締付操作部の締付操作により前記天板の手前側端部に取り外し可能に挟持固定されるクランプ部と、
を有する卓上パーテーション。
【請求項２】
請求項１に記載の卓上パーテーションにおいて、
前記スタンド本体は、左右方向に末広がりの山形形状に形成され、左右方向中央に前記第１溝が形成され、底面が左右方向に細長い形状の構造とし、
前記第１スタンドのクランプ部は、前記締付操作部の上下方向に延びるねじ軸部を締め付け方向に回すことにより上方に向けて移動する下挟持板を有し、前記スタンド本体の手前側に前記クランプ部を設けた構成とし、前記スタンド本体の底面と前記クランプ部の下挟持板との間で前記天板の手前側端部を挟持することを特徴とする卓上パーテーション。
【請求項３】
請求項２に記載の卓上パーテーションにおいて、
前記第１スタンドの前記クランプ部は、下部に前記下挟持板を一体的に設けた有底の筒状に形成されたケースと、前記ケース内に軸回りに回転不能に配置されると共に前記ケースと軸方向に相対移動可能に収容され、前記スタンド本体と連結されるナット体と、前記ケースの底壁を貫通して前記ナット体と螺合すると共に、前記ケースと一体に上方に移動可能な上下方向に延びる前記締付操作部のねじ軸と、を有し、前記ねじ軸の下端に設けた操作ダイアルを締め付け方向に回転させることにより前記ケースを上方に移動させて前記下挟持板を前記スタンド本体の底面に向けて移動させることを特徴とする卓上パーテーション。
【請求項４】
請求項３に記載の卓上パーテーションにおいて、
前記衝立パネルの下辺は、前記衝立パネルの下辺が前記第１スタンドと前記第２スタンドとの間で天板の上面に隙間なく接するように、前記第１スタンドに対応して前記第１スタンドとの上下方向の干渉を避ける第１切欠部が形成され、さらに前記第２スタンドに対応して前記第２スタンドとの干渉を避ける第２切欠部が形成されることを特徴とする卓上パーテーション。
【請求項５】
請求項１から４のいずれかに記載の卓上パーテーションにおいて、
前記衝立パネルと前記第１スタンドと前記第２スタンドとをポリカーボネート樹脂材で形成したことを特徴とする卓上パーテーション。
【請求項６】
請求項１に記載の卓上パーテーションにおいて、
前記第１スタンドの前記スタンド本体は前記第１溝を長手方向に形成した直方体形状のスタンドブロックを有し、
前記第１スタンドのクランプ部は、上挟持板と下挟持板を上下に対向配置し、前記スタンドブロックの底面に前記上挟持板が固定される略コ字形状のクランプフレームを有し、
前記締付操作部は、下挟持板のねじ孔に螺合して前記上挟持板と前記下挟持板の間に先端部が位置する前記ねじ軸部の先端部に前記上挟持板の内面に対向する押圧板部を設け、前記ねじ軸部を締め付け方向に回転することにより、前記上挟持板と前記押圧板部との間で前記天板の手前側端部を挟持する構成とし、前記締付操作部を１又は複数設けたことを特徴とする卓上パーテーション。
【請求項７】
請求項１に記載の卓上パーテーションにおいて、
前記第１スタンドのクランプ部は、前記スタンド本体の底面に固定される上挟持板の手前側端部に設けられたナット板と、前記ナット板を回転不能且つ軸方向に相対移動可能に収容し、下部に前記上挟持板と対向して下挟持板が固定される有底のケースと、前記ケースの底壁を貫通して前記ナット体と螺合すると共に、前記ケースと一体に上方に移動可能な上下方向に延びるねじ軸と、を有し、
前記ねじ軸部を締め付け方向に回すことにより、前記ねじ軸部と一体に前記ケースと共に前記下挟持板を前記上挟持板に向けて上方に螺進させ、前記上挟持板と前記下挟持板との間で前記天板の手前側端部を挟持することを特徴とする卓上パーテーション。
【請求項８】
請求項６または７に記載の卓上パーテーションにおいて、
前記衝立パネルの下辺は、前記衝立パネルの下辺が前記第１スタンドと前記第２スタンドとの間で天板の上面に隙間なく接するように、前記第１スタンドに対応して前記第１スタンドとの上下方向の干渉を避ける第１切欠部が形成され、さらに前記第２スタンドに対応して前記第２スタンドとの干渉を避ける第２切欠部が形成されることを特徴とする卓上パーテーション。
【請求項９】
請求項６に記載の卓上パーテーションにおいて、
前記衝立パネルの下辺は、手前側側辺と先側側辺との間で一直線状であることを特徴とする卓上パーテーション。
【請求項１０】
請求項６から９のいずれかに記載の卓上パーテーションにおいて、
前記第１スタンドは金属製であることを特徴とする卓上パーテーション。
【考案の詳細な説明】
【技術分野】
【０００１】
本考案は、テーブルや机などの卓に着席する隣接した着席者間を仕切る卓上パーテーションに関する。
【背景技術】
【０００２】
新型コロナウイルスの飛沫感染等の予防対策として、透明アクリル板をテーブル等の卓上に載置して使用する卓上パーテーションが提案されている（非特許文献１）。
【０００３】
非特許文献１に開示の卓上パーテーションは、矩形平板状の透明アクリル板からなる衝立パネルと、衝立パネルをテーブル上に起立保持する透明アクリル材で形成されるスタンドとにより構成される。テーブルに着席する隣の着席者との間を仕切るために使用されるスタンドは、テーブル上に載置される平板状の底板と、パーテーションの下部が差し込まれる差し込み溝を備えた脚部を有し、底板の幅方向中央に脚部を接着固定している。脚部は衝立パネルの下辺と略同等の長さに形成し、衝立パネルを安定して起立保持可能としており、四角い机では前後方向にわたって配置し、円テーブルでは中央部とテーブルの外周縁との間を径方向に沿って配置できるようにしている。
【先行技術文献】
【非特許文献】
【０００４】
【非特許文献１】新型コロナウイルス等飛沫対策＆室内の彩り透明アクリルパーテーションＳＯＯＮ！！いろどり￥｜山形商美社、［令和２年７月１４日インターネット検索］、インターネット＜URL：https ://www.syobisha.com/soon/＞
【考案の概要】
【考案が解決しようとする課題】
【０００５】
非特許文献１に開示の卓上パーテーションは、スタンドを構成する底板の左右方向に延びる幅方向部分によって衝立パネルを倒れることなく自立させている。
【０００６】
このような従来の自立型パーテーションは、例えば離席、着席の際に着席者の体が衝立パネルに触れると、衝立パネルは自立しているだけなので、衝立パネルがスタンドと共にテーブル上を大きくスライドし、場合によっては横倒しになるおそれがある。特にテーブル上に飲食物が配膳されている場合には、パーテーションの倒れは避けなければならない。
【０００７】
しかし、パーテーションの横転を防止するためにパーテーションをテーブルに予め固定した構成とした場合、着席者の人数に応じてパーテーションの配置位置を変更することができない。また、テーブルにはクロスを敷くことが多いが、クロスの上にパーテーションを固定すると、クロスの交換ができない。
【０００８】
本考案の目的は、飛沫感染に適すると共に取り扱いが容易な卓上パーテーションを提供することにある。
【課題を解決するための手段】
【０００９】
本考案の目的を実現する第１の構成は、透明な板材で矩形平板形状に形成された衝立パネルを卓の天板上に前後方向に沿って起立させて仕切る卓上パーテーションであって、前記衝立パネルの手前側が第１溝に差し込まれて該衝立パネルを前記天板上に起立保持する第１スタンドと、前記衝立パネルの先側下辺が第２溝に差し込まれて該衝立パネルを前記天板上に起立保持する第２スタンドと、を有し、前記第１スタンドは、前記第１溝を備えるスタンド本体と、前記スタンド本体と一体的に設けられ、締付操作部の締付操作により前記天板の手前側端部に取り外し可能に挟持固定されるクランプ部と、を有する構成とした。
【００１０】
本考案の目的を実現する第２の構成は、上記した第１の構成において、前記スタンド本体は、左右方向に末広がりの山形形状に形成され、左右方向中央に前記第１溝が形成され、底面が左右方向に細長い形状の構造とし、前記第１スタンドのクランプ部は、前記締付操作部の上下方向に延びるねじ軸部を締め付け方向に回すことにより上方に向けて移動する下挟持板を有し、前記スタンド本体の手前側に前記クランプ部を設けた構成とし、前記スタンド本体の底面と前記クランプ部の下挟持板との間で前記天板の手前側端部を挟持する構成とすることができる。
【００１１】
本考案の目的を実現する第３の構成は、上記した第２の構成において、前記第１スタンドの前記クランプ部は、下部に前記下挟持板を一体的に設けた有底の筒状に形成されたケースと、前記ケース内に軸回りに回転不能に配置されると共に前記ケースと軸方向に相対移動可能に収容され、前記スタンド本体と連結されるナット体と、前記ケースの底壁を貫通して前記ナット体と螺合すると共に、前記ケースと一体に上方に移動可能な上下方向に延びる前記締付操作部のねじ軸と、を有し、前記ねじ軸の下端に設けた操作ダイアルを締め付け方向に回転させることにより前記ケースを上方に移動させて前記下挟持板を前記スタンド本体の底面に向けて移動させる構成とすることができる。
【００１２】
本考案の目的を実現する第４の構成は、上記した第３の構成において、前記衝立パネルの下辺は、前記衝立パネルの下辺が前記第１スタンドと前記第２スタンドとの間で天板の上面に隙間なく接するように、前記第１スタンドに対応して前記第１スタンドとの上下方向の干渉を避ける第１切欠部が形成され、さらに前記第２スタンドに対応して前記第２スタンドとの干渉を避ける第２切欠部が形成される構成とすることができる。
【００１３】
本考案の目的を実現する第５の構成は、上記したいずれかの構成において、前記衝立パネルと前記第１スタンドと前記第２スタンドとをポリカーボネート樹脂材で形成することができる。
【００１４】
本考案の目的を実現する第６の構成は、上記した第１の構成において、前記第１スタンドの前記スタンド本体は前記第１溝を長手方向に形成した直方体形状のスタンドブロックを有し、前記第１スタンドのクランプ部は、上挟持板と下挟持板を上下に対向配置し、前記スタンドブロックの底面に前記上挟持板が固定される略コ字形状のクランプフレームを有し、前記締付操作部は、下挟持板のねじ孔に螺合して前記上挟持板と前記下挟持板の間に先端部が位置する前記ねじ軸部の先端部に前記上挟持板の内面に対向する押圧板部を設け、前記ねじ軸部を締め付け方向に回転することにより、前記上挟持板と前記押圧板部との間で前記天板の手前側端部を挟持する構成とし、前記締付操作部を１又は複数設けることができる。
【００１５】
本考案の目的を実現する第７の構成は、上記した第１の構成において、前記第１スタンドのクランプ部は、前記スタンド本体の底面に固定される上挟持板の手前側端部に設けられたナット板と、前記ナット板を回転不能且つ軸方向に相対移動可能に収容し、下部に前記上挟持板と対向して下挟持板が固定される有底のケースと、前記ケースの底壁を貫通して前記ナット体と螺合すると共に、前記ケースと一体に上方に移動可能な上下方向に延びるねじ軸と、を有し、前記ねじ軸部を締め付け方向に回すことにより、前記ねじ軸部と一体に前記ケースと共に前記下挟持板を前記上挟持板に向けて上方に螺進させ、前記上挟持板と前記下挟持板との間で前記天板の手前側端部を挟持する構成とすることができる。
【００１６】
本考案の目的を実現する第８の構成は、上記した第６または第７の構成において、前記衝立パネルの下辺は、前記衝立パネルの下辺が前記第１スタンドと前記第２スタンドとの間で天板の上面に隙間なく接するように、前記第１スタンドに対応して前記第１スタンドとの上下方向の干渉を避ける第１切欠部が形成され、さらに前記第２スタンドに対応して前記第２スタンドとの干渉を避ける第２切欠部が形成される構成とすることができる。
【００１７】
本考案の目的を実現する第９の構成は、上記した第６の構成において、前記衝立パネルの下辺は、手前側側辺と先側側辺との間で一直線状とすることができる。
【００１８】
本考案の目的を実現する第１０の構成は、上記した第６から第９の構成のいずれかにおいて、前記第１スタンドを金属製とすることができる。
【考案の効果】
【００１９】
請求項１に係る考案によれば、衝立パネルの横転を防止することができる。また、天板上への第１スタンドの取り付け取り外し作業が容易なので、卓上パーテーションの設置と撤去を迅速に行え、例えば複数の卓に複数組の卓上パーテーションを設置、撤去する場合でも短時間に設置、撤去作業を行える。
【００２０】
請求項２、３に係る考案によれば、スタンド本体の底面を利用して挟持力を得るようにしているので、クランプ部の構成を簡素化することができる。
【００２１】
請求項４に係る考案によれば、第１スタンドと第２スタンドとの間で、衝立パネルの下辺を天板の上面に接するようにすることができるので、隣席者との間で安心した仕切感が得られる。
【００２２】
請求項５に係る考案によれば、強固で安価な卓上パーテンションを提供することができる。
【００２３】
請求項６に係る考案によれば、スタンド本体を直方体形状のスタンドブロックとしているので、衝立パネルの長さに応じてスタンドブロックの長さを長くして衝立パネルを安定して支持することができる。また、クランプ部はスタンドブロックの下方に配置することができるので、第１スタンドを天板に取り付けても天板の縁から外方に向けて延出する部材は一切ない。このため、卓に着席する着席者などが邪魔に感じることはない。
【００２４】
請求項７に係る考案によれば、第１スタンド部のクランプ部は、スタンド本体と別体の部品なので、不具合の部品を交換するだけで修理を行うことができる。
【００２５】
請求項８に係る考案によれば、第１スタンドと第２スタンドとの間で、衝立パネルの下辺を天板の上面に接するようにすることができるので、隣席者との間で安心した仕切感が得られる。
【００２６】
請求項９に係る発明によれば、衝立パネルを第１スタンド第２スタンドに対して前後方向に移動させることができ、天板の縁から外方に延出する衝立パネルの長さを調節することができる。
【００２７】
請求項１０に係る考案によれば、堅牢な第１スタンドを提供することができる。
【図面の簡単な説明】
【００２８】
【図１】本考案による卓上パーテーションの第１実施形態を示す概略外観斜視図である。
【図２】図１のＡ−Ａ矢視断面図である。
【図３】図１に示す第１スタンドを示し、（ａ）は背面図、（ｂ）は上面図である。
【図４】本考案による卓上パーテーションの第２実施形態を示す外観斜視図である。
【図５】図４のＢ―Ｂ矢視図である。
【図６】第２実施形態の第１変形例を示し、（ａ）は衝立パネルの斜視図、（ｂ）は第１スタンドの分解斜視図である。
【図７】第２実施形態の第２変形例を示す第１スタンドの分解斜視図である。
【考案を実施するための形態】
【００２９】
以下本考案を図面に示す実施形態に基づいて詳細に説明する。
【００３０】
第１実施形態
【００３１】
図１から図３において、卓上パーテーション１は、長テーブル、丸テーブル等の卓の天板２の上面に設置される。卓上パーテーション１は、衝立パネル１０と、第１スタンド３０と、第２スタンド５０により構成される。なお、この明細書において、手前側とはテーブルに着席する着席者側を示し、先側とは手前側とは反対側を示し、前後方向とは手前側から先側方向を示し、幅方向、左右方向とは前後方向に対して水平面内で直交する方向を示す。
【００３２】
卓上パーテーション１は、天板２の手前側端部に取り外し可能に固定した第１スタンド３０により衝立パネル１０の手前側を起立保持し、天板２の先側に配置した第２スタンド５０により衝立パネル１０の先側を起立保持する。
【００３３】
衝立パネル１０は、透明な板材として透明樹脂材としてポリカーボネートにより矩形平板形状に形成されたパネル本体１１の四隅をＲ形状に形成している。パネル本体１１の下辺１２は、手前側に第１スタンド３０に対応して第１切欠部１３を形成し、先側に第２スタンド５０に対応して第２切欠部１４を形成している。衝立パネル１０を第１スタンド３０と第２スタンド５０に装着して起立保持した際に、第１スタンド３０と第２スタンド５０との間でパネル本体１１の下辺１２が天板２の上面に隙間なく接地するために第１切欠部１３と第２切欠部１４を設けている。
【００３４】
第１切欠部１３は第１スタンド３０の上下方向高さと干渉しない形状とすると共に、前後方向において第１スタンド３０と干渉して前後方向の移動を規制する形状に形成されている。第２切欠部１４は、同様に第２スタンド５０の上下方向高さと干渉しない形状とすると共に、第２スタンド５０と干渉して前後方向の移動を規制する形状に形成されている。第１切欠部１３は、第１切欠部１３の先側の側端１３ａからパネル本体１１の手前側の側辺１１ａまで所定の切欠高さで形成される。第１切欠部１３の先側の側端１３ａからパネル本体１１の手前側の側辺１１ａとの前後方向の長さをＬとすると、長さＬを自由に設定することができる。長さＬは、天板２の手前側端から外方に向けて延出する衝立パネル１０の長さとなる。
【００３５】
第１切欠部１３の切欠高さをＨ１とし、第１スタンド３０の底面３４と第１溝３２の内底３２ａと底面３４との高さをＨ２とすると、高さＨ１と高さＨ２を同じ高さとし、衝立パネル１０を第１スタンド３０に差し込んだ際に、第１切欠部１３の内上辺１３ｂが第１溝３２の内底３２ａに当接し、パネル本体１１の下辺１２が天板２の上面に隙間なく接するようにしている。
【００３６】
第２切欠部１４の構造は、第２スタンド５０の形状により決まるもので、本実施形態ではパネル本体１１の先側の側辺１１ｂまで、切欠高さＨ３の高さで切欠かれた矩形形状に形成されている。第２切欠部１４の手前側に形成される切欠高さＨ３の切欠側端１４ａは第２スタンド５０と前後方向で当接し、第２スタンド５０に対して衝立パネル１０の先側への移動を規制する。切欠高さＨ３は、第２スタンド５０に第２切欠部１４の内上辺１３ｂが当接する高さとしている。
【００３７】
第１スタンド３０と第２スタンド５０は、透明樹脂材としてポリカーボネートにより形成されており、以下に構造を説明する。
【００３８】
図１〜図３に示すように、第１スタンド３０は、スタンド本体３１と、クランプ部４０とにより構成され、スタンド本体３１とクランプ部４０のナット体４１とを一体成形により一体化している（図２参照）。
【００３９】
スタンド本体３１は、左右方向に末広がりの山形形状に形成され、左右方向中央に第１溝３２が形成され、底面３４が左右方向に細長い形状の構造としており、左右対称に形成された略直角三角形形状の左スタンド部３１Ａと右スタンド部３１Ｂの間に上方が開口した有底の第１溝３２を上下方向に設けた構成に形成され、正面視略二等辺三角形形状としている。
【００４０】
左スタンド部３１Ａと右スタンド部３１Ｂはそれぞれ前後方向に２枚のスタンド板３３を隔設した構成とし、前後方向の長さを確保しつつ軽量化を図っている。スタンド本体３１の底面３４が天板２の上面に接し、クランプ部４０により第１スタンド３０が天板２に挟圧把持される際の当接面をなす。このため、第１スタンド３０は、スタンド本体３１の底面３４が左右方向に長く、また前後方向にある程度の長さを有することから、左右方向への転倒を防いで安定して天板２の上面に保持される。
【００４１】
スタンド本体３１の第１溝３２には、パネル本体１１の第１切欠部１３が差し込まれる。第１溝３２の内底３２ａに第１切欠部１３の内上辺１３ｂが当接する。第１溝３２の内底３２ａと、スタンド本体３１の底面３４との高さＨ２と第１切欠部１３の切欠高さＨ１と同じ高さとしているので、第１スタンド３０に差し込まれた衝立パネル１０の下辺１２が天板２の上面に隙間なく接することが可能となる。
【００４２】
クランプ部４０は、ナット体４１と、ナット体４１を軸方向に移動可能とすると共に軸回りに回転不能に収容する筒形状のクランプケース４２と、ナット体４１との螺合によりクランプケース４２とナット体４１とを相対的に軸方向に沿って移動させる締付操作部４３とにより構成される。
【００４３】
ナット体４１は、図３（ｂ）に示すように、横断面形状を半円部分と四角形部分を繋ぎ合わせた形状に形成された柱状とし、中心部に上下方向に貫通して雌ねじ孔４４が形成されている。クランプケース４２は、内周部がナット体４１の外径形状と同形状に形成されており、収容するナット体４１が軸方向に移動可能とし、軸回りに回転不能とする。また、クランプケース４２の外周部には、軸方向に沿って上端から有底のスリット部４２ａが形成されている。ナット体４１は、図３に示すように、スタンド本体３１と連結部４５を介して一体的に連結され、連結部４５がクランプケース４２のスリット部４２ａに入り込んでいる。したがって、スタンド本体３１を天板２に固定した場合、クランプケース４２は、ナット体４１に対して上下方向に移動可能となる。
【００４４】
クランプケース４２は、上端が開口すると共に下端が底壁４２ｂにより塞がれ、クランクケース４２の下端部にスリット部４２ａと同じ向きに下挟持板４６が固定されている。下挟持板４６の先端は、スタンド本体３１よりも先側に向けて水平に延びている。底壁４２ｂには、締付操作部４３のねじ軸４７が回転自在に挿入される軸孔４２ｃが形成されている。
【００４５】
締付操作部４３は、ねじ軸４７とねじ軸の下端部に固定された操作ダイアル４８とにより構成されている。操作ダイアル４８はクランプケース４２の底壁４２ｂの外側に配置され、ねじ軸４７は先端部に雄ねじ部４７ａが形成されている。ねじ軸４７は軸孔４２ｃを通して先端部の雄ねじ部４７ａがナット体４１の雌ねじ孔４４に螺合する。
【００４６】
クランプ部４０は、操作ダイアル４８を時計回り方向の締め付け方向に回すと、ねじ軸４７の雄ねじ部４７ａがナット体４１の雌ねじ部４４に螺合しながらねじ軸４７が上方に向けて螺進する。また、クランプケース４２の外周部には、スリット部４２と反対側の手前側にパネル本体１１の下辺１２との干渉を避けるための逃げ溝４２ｄを形成し、パネル本体１１の下辺１２が嵌まり込むようにしている。
【００４７】
次に、第２スタンド５０の構成を説明する。
【００４８】
第２スタンド５０は、第１スタンド３０のスタンド本体３１と同様の構成としている。第２スタンド５０は、左右対称に形成された略直角三角形形状のスタンド部５１Ａと５１Ｂの間に上方が開口した有底の第２溝５２を上下方向に設けた構成のスタンド本体５１を有し、正面視略二等辺三角形形状としている。スタンド本体５１の底面５３が天板２の上面に接し、第２溝５２の内底５２ａにパネル本体１１の第２切欠部１４の内上辺１４ｂが当接する。
【００４９】
第２溝５２の内底５２ａとスタンド本体５１の底面５３との高さをＨ３としており、第２切欠部１４の切欠高さＨ３と同じ高さとしている。衝立パネル１０の第２切欠部１４に対応して第２スタンド５０を配置し、パネル本体１１を第２溝５２の内底５２ａまで差し込むと、パネル本体１１の下辺１２が天板２の上面に当接する。
【００５０】
第２スタンド５０は、単に天板２の上面に載置するだけであっても左右方向への転倒防止機能を有する。第１スタンド３０の第１溝３２と第２スタンド５０の第２溝５２は、ガタなくパネル本体１１が差し込まれる溝幅に形成される。
【００５１】
本実施形態による卓上パーテーション１は、予め卓の天板２の手前側端部に第１スタンド３０を固定し、第２スタンド５０を衝立パネル１０の第２切欠部１４に装着した状態で天板２の上面に第２スタンド５０を設置する。そして、衝立パネル１０の第１切欠部１３を第１スタンド３０の第１溝３２に合わせて差し込む。
【００５２】
したがって、本実施形態によれば、卓上パーテーション１は、簡単な組み立て作業で卓上に設置することができ、第１スタンド３０が天板２の手前側端部に挟持固定されているため、衝立パネル１０に左右方向の外力が加わっても衝立パネル１０の横転が防止される。また、第１スタンド３０を天板２から簡単に取り外せるので、卓上パーテーション１を卓から迅速に撤去することができる。
【００５３】
なお、衝立パネル１０の材料をポリカーボネート製の透明樹脂板としているが、透明アクリル樹脂板であっても良い。また、衝立パネル１０は、縦長形状であっても、横長形状であっても良い。さらに、衝立パネル１０を縦長形状、横長形状としても長さＬを任意に設定でき、天板２に卓上パーテーション１を設置した際に、天板２の縁から手前側に延出する長さを任意に設定することができる。
【００５４】
第２実施形態
【００５５】
本考案の第２実施形態を図４および図５に示す図面に基づいて説明する。
【００５６】
図４および図５において、卓上パーテーション１００は、卓として例えば丸テーブルの天板２の上面に放射状に設置される。卓上パーテーション１００は、衝立パネル１１０と、第１スタンド１３０と、第２スタンド１５０により構成される。
【００５７】
卓上パーテーション１００は、第１スタンド１３０を天板２の手前側端部に取り外し可能に固定し、第２スタンド１３０により衝立パネル１１０の先側を起立保持し、左右方向への転倒を防止する構成としており、第２スタンド１５０は第１実施形態の第２スタンド５０と同じ構成としている。第２実施形態の第２スタンド１５０は、材料としてアクリル樹脂、木材、金属等が使用できる。
【００５８】
衝立パネル１１０は、透明な板材として透明アクリル樹脂材により矩形平板形状に形成されたパネル本体１１１を有し、四隅をＲ形状としている。パネル本体１１１は、下辺１１２の手前側と先側に矩形状の第１切欠部１１３と第２切欠部１１４を形成している。第１切欠部１１３は第１スタンド１３０に対応し、第２切欠部１１４は第２スタンド１５０に対応している。第２切欠部１１４の切欠高さは、第２スタンド１５０の上方が開口した有底の第２溝１５２の内底１５２ａと第２スタンド１５０の底面１５３との間の高さとし、パネル本体１１１の下辺１１２が天板２の上面に隙間なく接するようにしている。
【００５９】
第１スタンド１３０は、スタンド本体１３１と、クランプ部１６０とにより構成され、スタンド本体１３１の底面にクランプ部１６０を固定している。スタンド本体１３１は、横断面が凹形状に形成された直方体形状のスタンドブロック１３２を有し、左右方向の中央に上方が開口する有底の第１溝１３３が長手方向に沿って形成されている。スタンドブロック１３２は、左右方向の中央の第１溝１３３を中心に左右対称に形成されている。第１溝１３３の内底１３３ａとスタンドブロック１３２の底面１３２ａとの高さをＨ４（図５参照）とする。
【００６０】
クランプ部１６０は、金属製の板材により側面コ字形状に形成したクランプフレーム１６１と、締付操作部１６２により構成される。クランプフレーム１６１は、上下方向に延びる背板部１６３の上下に対向して上板部１６４と下板部１６５が背板部１６３に対して直角に折り曲げ形成されている。
【００６１】
上板部１６４の上面は、スタンドブロック１３２の底面１３２ａに不図示の接着剤を介して接着され、クランプフレーム１６１とスタンドブロック１３２が一体的に接着固定される。上板部１６４の内面側が天板２上面に接する。ここで、上板部１６４の板厚をＨ５（図５参照）とし、天板２の上面と第１溝１３３の内底１３３ａとの高さをＨ６（図５参照）とすると、高さＨ６は、第１溝１３３の内底１３３ａとスタンドブロック１３２の底面１３２ａとの高さＨ４と上板部１６４の板厚Ｈ５との和（Ｈ４＋Ｈ５）となる。このため、パネル本体１１１の第１切欠部１１３の切欠高さをＨ６とし、衝立パネル１１０の第１切欠部１１３を第１スタンド１３０のスタンドブロック１３２に差し込んだ際に、パネル本体１１１の下辺１１２が天板２の上面に接することになる。
【００６２】
締付操作部１６２は、外周部に雄ねじが形成されたねじ軸部１６８と、ねじ軸部１６８の先端部に回転自在に取り付けられた円盤形状の押圧板部１６９を有しており、ねじ軸部１６８の後端部に操作ダイアル１６８ａが固定されている。また、クランプフレーム１６１の下板部１６５にはねじ孔１６７が形成され、締付操作部１６２のねじ軸部１６８がねじ孔１６７に螺合する。
【００６３】
ねじ軸部１６８の上端に押圧板部１６９を取り付け、上板部１６４の下面に押圧板部１６９を対向させる。操作ダイアル１６８ａを締め付け方向である右回り方向に回すとねじ軸部１６８が上板部１６４に向けて螺進し、押圧板部１６９が上板部１６４に近づく。
【００６４】
クランプ部１６０は、クランプフレーム１６１の上板部１６４と押圧板部１６９との間に天板２の手前側端部を挟み、操作ダイアル１６８ａを締め付け方向に回して押圧板部１６９を天板２の下面に押し付けながら上板部１６４と押圧板部１６９により天板２の手前側端部を挟持する。このように、クランプフレーム１６１は天板２の手前側端部に取り外し可能に固定される。このため、スタンドブロック１３２は天板２の手前側端部の上面に固定される。その際、クランプフレーム１６１は、天板２の上面には表れないため、天板２の上面がすっきり見える。
【００６５】
また、天板２の手前側端から外方にスタンドブロック１５３とクランプフレーム１６１は一切延出しないので着席者の邪魔にはならない。
【００６６】
本実施形態の卓上パーテーション１００は、予め天板２の所定位置に第１スタンド１３０を固定する。そして、衝立パネル１１０の第２切欠部１１４に第２スタンド１５０を差し込んだ状態で衝立パネル１１０の第１切欠部１１３を第１スタンド１３０の第１溝１３３に差し込むことで卓上パーテーション１００の設置が終了する。天板２上に設置された卓上パーテーション１００は、衝立パネル１１０を手前側に引っ張ると、第１切欠部１１３の内側端１１３ａがスタンドブロック１５３の先側の端面に当接し、衝立パネル１１０の手前側の移動が規制される。
【００６７】
衝立パネル１１０は、手前側を第１スタンド１３０により起立支持され、先端部側を左右方向に出っ張りを有する第２スタンド１５０で起立支持されるため、安定して天板２上に起立する。衝立パネル１１０に対して不用意に大きな外力が左右方向に加わるのは手前側が殆どであるが、衝立パネル１０の手前側は天板２に固定されるスタンドブロック１５３に支持されている。このため、衝立パネル１１０が横転することはない。
【００６８】
第１変形例
【００６９】
図６は第２実施形態の第１変形例を示す。
【００７０】
第２実施形態における衝立パネル１１０は、第１スタンド１３０と第２スタンド１５０に対応してパネル本体１１１に第１切欠部１１３と第２切欠部１１４を設け、パネル本体１１１を第１スタンド１３０と第２スタンド１５０に差し込んだ際に、パネル本体１１１の下辺１１２が天板２の上面と隙間がないように接するようにしている。
【００７１】
これに対し、図６（ａ）に示すように、第１変形例の衝立パネル１１０Ａは、パネル本体１１１Ａの下辺１１２Ａを切欠部の無いストレート形状とすることができる。第２実施形態の第１スタンド１３０は、スタンドブロック１５３に形成される第１溝１３３の内底１３３ａよりも上方に位置する構造体は存在しない。したがって、パネル本体１１１Ａの下辺１１２Ａと天板２の上面との間に隙間は生じるが、衝立パネル１１０Ａを前後方向に移動可能とすることができる。このため、天板２の手前側端よりも外方に延出するパネル本体１１１Ａの長さを調節することができる。
【００７２】
第２実施形態における第１スタンド１３０は、クランプフレーム１６１に一つの締付操作部１６２を設けている。これに対し、図６（ｂ）に示すように、第１変形例の第１スタンド１３０Ａでは、スタンドブロック１３２の前後方向の長さが長くなった場合に応じて上板部１６４と下板部１６５の前後方向の長さを等しくし、締付操作部１６２を２つ設けている。勿論、締付操作部１６２を２つではなく３つまたはそれ以上設けるようにしてもよい。これにより、第１スタンド１３０Ａは強固に天板２の手前側端部に挟持固定される。
【００７３】
第２変形例
【００７４】
図７は第２実施形態の第２変形例を示す第１スタンド１３０Ｂの分解斜視図である。
【００７５】
第２変形例の第１スタンド１３０Ｂは、スタンド本体１７１とクランプ部１８０とにより構成している。スタンド本体１７１は、クランプ部１８０とねじ１７２により固定される。ねじ１７２は幅方向に２か所で前後方向に２か所に計４本設けられている。スタンド本体１７１は第２実施形態のスタンドブロック１３２と略同様の構成を有するスタンドブロック１７３を有し、スタンドブロック１７３には上方が開口した有底の第１溝１７４が前後方向に沿って形成されている。スタンドブロック１７３の底面１７３ａには、ねじ１７２が捩じ込まれるねじ穴１７６が４か所形成されている。
【００７６】
クランプ部１８０は、クランプケース１８１と、締付操作部１８２と、スタンドブロック１７３の底面１７３ａにねじ１７２で固定される上板部１８４とにより構成される。クランプケース１８１は、基底部１８３ａを備えると共に先側側面と上面が開口する角筒形状のケース本体１８３と、基底部１８３ａに連設して先側に向けて水平に延びる平板状の下板部１８５とにより構成される。
【００７７】
クランプケース１８１は、基底部１８３ａの上面よりも下側に段差を有して下板部１８５が形成される。基底部１８３ａにはねじ挿通孔１８７が上下方向に貫通して形成され、さらにねじ挿通孔１８７の下部にはねじ挿通孔１８７の内径よりも大径の大径穴部１８７ａが形成される。
【００７８】
上板部１８４は、スタンドブロック１７３の底面１７３ａと同じサイズの平板形状の上板本体１８４ａと、上板本体１８４ａの手前側に一体に設けたナット板１８４ｂとを有している。ナット板１８４ｂは、クランプケース１８１のケース本体１８３の内径形状と同じ角形の外径形状に形成され、中央にねじ孔１８４ｃを設けている。上板本体１８４ａにはねじ１７２が挿通されるねじ挿通孔１８４ｄがねじ穴１７６に対応して設けられている。ナット板１８４ｂとケース本体１８３とは軸回りに回転不能で、軸方向に移動可能としている。
【００７９】
締付操作部１８２は、ねじ軸部１８８と、ねじ軸部１８８の下端に取り付けられたレバー部１８９とを有する。ねじ軸部１８８は、上部に雄ねじ１８８ａが形成され、下部にねじ挿通孔１８４ｄに挿通される軸部１８８ｂが形成されている。軸部１８８ｂの下端部は軸部１８８ｂの外径よりも大径のフランジ部１８８ｃが形成されている。フランジ部１８８ｃがねじ挿通孔１８７の下部に形成された大径穴部１８７ａに嵌めこまれることにより、ねじ軸部１８８と一体にケース本体１８３が軸方向上方へ移動する。
【００８０】
レバー部１８９はねじ軸部１８８のフランジ部１８８ｃの下端に支軸１８９ａを介して回転可能に取り付けられている。上板部１８４のナット板１８４ｂはケース本体１８３内に装入され、ねじ軸部１８８の雄ねじ部１８８ａがナット板１８４ｂのねじ孔１８４ｃに螺合する。
【００８１】
レバー部１８９を締め付け方向（時計回り方向）に回すと、ナット板１８４ｂに対してねじ軸部１８８が上方に向かって螺進する。その際、フランジ部１８８ｃがねじ挿通孔１８７と大径穴部１８７ａとの間の段差部に当接するため、ねじ軸部１８８の螺進と一体にケース本体１８３が上方に移動する。
【００８２】
第１スタンド１３０Ｂは、クランプ部１８０の上板部１８４と下板部１８５との間に天板２の手前側端部を挟み込み、レバー部１８９を締め付け方向に回すと下板部１８５が天板２の下面に当接し、さらにレバー部１８９を回すと下板部１８５と上板部１８４の上板本体１８４ａが天板２の手前側端部を挟持し、クランプ部１８０が天板２に固定される。その結果、スタンドブロック１７３が天板２の上面に固定されることになる。レバー部１８９は、所定の締付が終了すると下板部１８５の下面側に向け支軸１８９ａを中心にして折り曲げて折り畳み、レバー部１８９が下方に垂れ下がるのを防止する。このため、レバー部１８９が誤って反締め付け方向に回されることを未然に防止することができる。
【符号の説明】
【００８３】
１：卓上パーテーション      ２：天板
１０：衝立パネル      １１：パネル本体      １１ａ、１１ｂ：側辺
１２：下辺      １３：第１切欠部      １３ａ：先側側端      １３ｂ：内上辺
１４：第２切欠部
１４ａ：切欠側端      １４ｂ：内上辺
３０：第１スタンド      ３１：スタンド本体      ３１Ａ、３１Ｂ：スタンド部
３２：第１溝      ３３：スタンド板      ３４：底面      ３２ａ：内底
４０：クランプ部      ４１：ナット体      ４２：クランプケース
４２ａ：スリット部      ４２ｂ：底壁      ４２ｃ：軸孔      ４２ｄ：逃げ溝
４３：締付操作部      ４４：雌ねじ孔      ４５：連結部      ４６：下挟持板
４７：ねじ軸      ４７ａ：雄ねじ部      ４８：操作ダイアル
５０：第２スタンド      ５１：スタンド本体      ５１Ａ、５１Ｂ：スタンド部
５２：第２溝      ５２ａ：内底      ５３：底面
１００：卓上パーテーション      １１０：衝立パネル      １１０Ａ：衝立パネル
１１１Ａ：パネル本体      １１２、１１２Ａ：下辺      １１１：パネル本体
１１３：第１切欠部      １１３ａ：内側端      １１４：第２切欠部
１３０：第１スタンド      １３０Ａ：第１スタンド      １３０Ｂ：第１スタンド
１３１：スタンド本体      １３２：スタンドブロック      １３２ａ：底面
１３３：第１溝      １３３ａ：内底
１５０：第２スタンド      １６０：クランプ部      １６１：クランプフレーム
１６２：締付操作部      １６３：背板部      １６４：上板部      １６５：下板部
１６７：ねじ孔      １６８：ねじ軸部      １６８ａ：操作ダイアル
１６９：押圧板部
１７１：スタンド本体      １７２：ねじ      １７３：スタンドブロック
１７３ａ：底面      １７４：第１溝      １７６：ねじ穴
１８０：クランプ部      １８１：クランプケース      １８２：締付操作部
１８３：ケース本体      １８３ａ：基底部      １８４：上板部
１８４ａ：上板本体      １８４ｂ：ナット板      １８４ｃ：ねじ孔
１８４ｄ：ねじ挿通孔      １８５：下板部      １８７：ねじ挿通孔
１８７ａ：大径穴部      １８８：ねじ軸部      １８８ａ：雄ねじ
１８８ｂ：軸部      １８８ｃ：フランジ部      １８９：レバー部
１８９ａ：支軸
【図１】
0003229988.tif 000003
【図２】
0003229988.tif 000004
【図３】
0003229988.tif 000005
【図４】
0003229988.tif 000006
【図５】
0003229988.tif 000007
【図６】
0003229988.tif 000008
【図７】
0003229988.tif 000009
【手続補正書】
【提出日】令和2年10月15日(2020.10.15)
【手続補正１】
【補正対象書類名】実用新案登録請求の範囲
【補正対象項目名】請求項７
【補正方法】変更
【補正の内容】
【請求項７】
請求項１に記載の卓上パーテーションにおいて、
前記第１スタンドのクランプ部は、前記スタンド本体の底面に固定される上挟持板の手前側端部に設けられたナット板と、前記ナット板を回転不能且つ軸方向に相対移動可能に収容し、下部に前記上挟持板と対向して下挟持板が固定される有底のケースと、前記ケースの底壁を貫通して前記ナット板と螺合すると共に、前記ケースと一体に上方に移動可能な上下方向に延びるねじ軸と、を有し、
前記ねじ軸部を締め付け方向に回すことにより、前記ねじ軸部と一体に前記ケースと共に前記下挟持板を前記上挟持板に向けて上方に螺進させ、前記上挟持板と前記下挟持板との間で前記天板の手前側端部を挟持することを特徴とする卓上パーテーション。
【手続補正２】
【補正対象書類名】明細書
【補正対象項目名】００１５
【補正方法】変更
【補正の内容】
【００１５】
本考案の目的を実現する第７の構成は、上記した第１の構成において、前記第１スタンドのクランプ部は、前記スタンド本体の底面に固定される上挟持板の手前側端部に設けられたナット板と、前記ナット板を回転不能且つ軸方向に相対移動可能に収容し、下部に前記上挟持板と対向して下挟持板が固定される有底のケースと、前記ケースの底壁を貫通して前記ナット板と螺合すると共に、前記ケースと一体に上方に移動可能な上下方向に延びるねじ軸と、を有し、前記ねじ軸部を締め付け方向に回すことにより、前記ねじ軸部と一体に前記ケースと共に前記下挟持板を前記上挟持板に向けて上方に螺進させ、前記上挟持板と前記下挟持板との間で前記天板の手前側端部を挟持する構成とすることができる。